(57)【要約】【課題】  効率的な運転・制御方法が得られる気体溶解水供給システムを実現する。【解決手段】  一端に吸込口を有する吸込管と、前記吸込管の他端が接続される水中型溶解タンクと、前記水中型溶解タンクに接続された吐出口とを具備する気体溶解水供給システムにおいて、  前記吐出口を水中の所定位置に移動配置する第１の移動手段を具備したことを特徴とする気体溶解水供給システムである。【選択図】                    図１
2006142257.tif 000002
【特許請求の範囲】
【請求項１】
一端に吸込口を有する吸込管と、前記吸込管の他端が接続される水中型溶解タンクと、前記水中型溶解タンクに接続された吐出口とを具備する気体溶解水供給システムにおいて、
前記吐出口を水中の所定位置に移動配置する第１の移動手段
を具備したことを特徴とする気体溶解水供給システム。
【請求項２】
前記吸込口を水中の所定位置に移動配置する第２の移動手段
を具備したことを特徴とする請求項１記載の気体溶解水供給システム。
【請求項３】
前記水中型溶解タンクを水中の所定位置に移動配置する第３の移動手段
を具備したことを特徴とする請求項１又は請求項２記載の気体溶解水供給システム。
【請求項４】
前記吸込管の途中に設けられたポンプを水中の所定位置あるいは水上に移動配置する第４の移動手段
を具備したことを特徴とする請求項１乃至請求項３の何れかに記載の気体溶解水供給システム。
【請求項５】
前記移動手段は、フロートに配置されたウインチと、ウインチと移動対象物とを接続するケーブルとが使用されたこと
を特徴とする請求項１乃至請求項４の何れかに記載の気体溶解水供給システム。
【請求項６】
前記水中型溶解タンクに設けられた浮子
を具備したことを特徴とする請求項５記載の気体溶解水供給システム。
【請求項７】
前記移動手段は、移動対象物に設けられた浮子と、
水底に設けられた固定手段と、この固定手段に設けられた滑車と、
この滑車を介して移動対象物と所定位置に配置されたウインチとを接続するケーブルとが使用されたこと
を特徴とする請求項１乃至請求項４の何れかに記載の気体溶解水供給システム。
【請求項８】
前記水中に設けられ水中の水質データを測定する水質測定器と、
この水質測定器の測定信号に基づき水質データを演算処理する演算処理部と、
この演算処理部の演算結果から前記移動手段に移動信号を送る移動手段制御部と
を具備したことを特徴とする請求項１乃至請求項７の何れかに記載の気体溶解水供給システム。
【発明の詳細な説明】
【技術分野】
【０００１】
本発明は、効率的な気体溶解水供給システムに関するものである。
更に詳述すれば、例えば、近年、湖沼、ダム、濠、内湾などの閉鎖性水域は、生活排水、農業排水、工場排水などにより汚染が進み、水中に酸素等が欠乏する貧酸素水となり、環境へ悪影響を及ぼしている。
【０００２】
こうした貧酸素水に酸素を溶かし込み、溶存酸素濃度を上昇させ、悪影響の軽減を図ることが行われている。
この様な水域に効率良く酸素を供給する（溶存酸素濃度を増加させる）気体溶解水供給システムに関するものである。
【背景技術】
【０００３】
気体溶解水供給システムに関連する先行技術文献としては次のようなものがある。
【０００４】
【非特許文献１】横河電機株式会社発行、横河技報、２００３年４月２１日発行、Vol.４７  Ｎｏ.２、Ｐ４７、図４。
【特許文献１】特開２００２−３４６３５１号公報
【特許文献２】特開２００4−１８８２６３号公報
【０００５】
所で、今日、海（港湾）、湖沼、河川、ダム、濠等には生活排水や産業排水が流入しており、こうした排水中には有機物、栄養塩類が含まれている。これらの一部は水底に沈降して有機汚泥となる。
水中の微生物はこれらを分解するため溶存酸素を消費するので、底層の水への酸素供給が消費量より少ないと貧酸素状態となってしまう。
【０００６】
底層水が貧酸素状態に陥ると、底泥中の有機物は嫌気分解され、硫化物やメタンガス等の生物にとって有害な物質が生成される。
また、底泥が酸素不足になると底泥中の栄養塩が溶出し易くなり、水中の栄養塩濃度を高め、赤潮を引き起こすなど環境悪化の原因となる。
【０００７】
図１１に示す如く、港湾、湖沼、ダム湖等比較的水深の深い水域において夏季は水面付近は温度が高く、水深が下がると急に温度が低下する温度躍層Ｃが形成され、水底は温度が一番低くなっている。
こうした状態では下層の水温が低く密度が大きい水は水塊を形成しており、表層付近の水温が高く密度が小さい水と混ざり合うことはない。
【０００８】
従って、表層付近の溶存酸素濃度の高い水は、底層へ供給されることはなく、底層の貧酸素状態は解消されない状態になる。
なお、汽水湖などでは、塩分濃度の違いにより、塩分躍層が形成されることにより、同様に底層が貧酸素状態に陥ることがある。
【０００９】
図９，図１０は従来より一般に使用されている従来例の構成説明図で、図９は全体構成説明図、図１０は図９の要部構成説明図で、特開２００４−１８８２６３号公報に示されている。
【００１０】
図において、１は任意の水深層における水を吸引するポンプ、２は水中に設置され、気体（酸素）の水への溶解を促進する溶解タンクであり、３はポンプ１より吐出された水を溶解タンク２に流入させる導入管、４は溶解タンク２内において気体が溶解した水（酸素溶解水）を排出し、再び任意の水深層に送出する排出管である。
【００１１】
５は導入管３を介して供給される水を溶解タンク２内に噴出するノズル、６はノズル５から噴出された水が衝突する位置の水面下に配置された邪魔板（衝突板）、７は溶解タンク２の上部に発生する気体溜まり、８は気体溜まり７の気体（未溶解気体）をタンク外（大気）に放出するための排気手段である。
【００１２】
９はポンプ１の吐出側に挿入され、水に気体（酸素）を注入するとともに、乱流を発生して、水と気体とを撹拌するエジェクタおよびラインミキサである。
１１はポンプ１の吸引側および／または吐出側および／または溶解タンクにおいて、水に酸素を含んだ気体を注入する気体注入手段である。
上記したように、ポンプ１の吐出側における気体の注入は、エジェクタ／ラインミキサ９を介して行われる。
【００１３】
１２〜１７は調節弁であり、流れる水または気体の流量を最適の値に調節する。
特に、調節弁１３においては、気体注入手段１１からポンプ１の吸引側に送り込む気体の量を制御し、所謂、泡噛み（キャビテーション）が起きないように制御している。
【００１４】
また、調節弁１７は、溶解タンク２の上部の気体溜まり７における気体（未溶解気体）を放出し、気体溜まり７における窒素濃度の上昇を防ぐとともに、タンク２内の水位を調節する。
２１，２２は吸込口と吐出口である。
【００１５】
このように構成された水中型気体供給装置においては、気体が注入され、ノズル５を介して溶解タンク２内に噴出された水は、邪魔板６に衝突して、タンク２内の水を激しく泡立てる。
このため、溶解タンク２内では、水の衝突による泡立ちのために、気液接触表面積が大きくなり、効率よく気体を溶解させることができる。
【００１６】
したがって、溶存酸素濃度の高い水を海（港湾）、湖沼、河川、ダム、濠等の底層に供給することができ、底層の貧酸素状態を解消して、水質の改善を図ることができる。
また、溶解タンク２を水中に設置することにより、水圧を利用して、比較的高濃度の酸素を溶解させることができる。
【００１７】
水圧を利用することによりタンク２を加圧する必要が無くなり、また、溶存酸素濃度を改善する水深に装置を配置することによって、送水の為の長い配管が必要なくなることからエネルギー効率が非常に良くなる。
【００１８】
図１３は従来より一般に使用されている他の従来例の構成説明図である。
本実施例においては、溶解タンク２６の底面２７を底板で覆い、酸素溶解水が横方向に排出されるようにしたものである。
水底に対して垂直方向に酸素溶解水が放出されない為に底泥を巻き上げるのを防止することが出来る。
【発明の開示】
【発明が解決しようとする課題】
【００１９】
しかしながら、このような装置においては、
温度差のある水域では、水は同じ温度（密度）の層に水平に分布しようとする性質を持っている。
【００２０】
従って、気体溶解装置を使用して吸込口と吐出口をほゞ同じ水温（水深）に設置すると図１２に示すように非常に水温幅が狭い水深に酸素溶解水が拡がる（例えば０．３℃の水温幅で酸素溶解水が拡がることが実験では確認されている。）。
つまり、気体溶解装置の吸込・吐出口が配置された非常に水深幅の狭い領域のみに酸素溶解水が拡がる為、その他の領域には酸素水が拡がらないと言う問題がある。
【００２１】
本発明の目的は、上記の課題を解決するもので、港湾、湖沼、河川、ダム、濠などの環境水に効率良く、酸素を供給する気体溶解水供給システムにおいて、より効率的な運転・制御方法が得られる気体溶解水供給システムを提供することを目的とする。
【課題を解決するための手段】
【００２２】
このような課題を達成するために、本発明では、請求項１の気体溶解水供給システムにおいては、
一端に吸込口を有する吸込管と、前記吸込管の他端が接続される水中型溶解タンクと、前記水中型溶解タンクに接続された吐出口とを具備する気体溶解水供給システムにおいて、
前記吐出口を水中の所定位置に移動配置する第１の移動手段を具備したことを特徴とする。
【００２３】
本発明の請求項２においては、請求項１記載の気体溶解装置において、
前記吸込口を水中の所定位置に移動配置する第２の移動手段を具備したことを特徴とする。
【００２４】
本発明の請求項３においては、請求項１又は請求項２記載の気体溶解装置において、
前記水中型溶解タンクを水中の所定位置に移動配置する第３の移動手段を具備したことを特徴とする。
【００２５】
本発明の請求項４においては、請求項１乃至請求項３の何れかに記載の気体溶解装置において、
前記吸込管の途中に設けられたポンプを水中の所定位置あるいは水上に移動配置する第４の移動手段を具備したことを特徴とする。
【００２６】
本発明の請求項５においては、請求項１乃至請求項４の何れかに記載の気体溶解装置において、
前記移動手段は、フロートに配置されたウインチと、ウインチと移動対象物とを接続するケーブルとが使用されたことを特徴とする。
【００２７】
本発明の請求項６においては請求項５に記載の気体溶解装置において、
前記水中型溶解タンクに設けられた浮子を具備したことを特徴とする。
【００２８】
本発明の請求項７においては請求項１乃至請求項４の何れかに記載の気体溶解装置において、
前記移動手段は、移動対象物に設けられた浮子と、水底に設けられた固定手段と、この固定手段に設けられた滑車と、この滑車を介して移動対象物と所定位置に配置されたウインチとを接続するケーブルとが使用されたことを特徴とする。
【００２９】
本発明の請求項８においては請求項１乃至請求項７の何れかに記載の気体溶解装置において、
前記水中に設けられ水中の水質データを測定する水質測定器と、この水質測定器の測定信号に基づき水質データを演算処理する演算処理部と、この演算処理部の演算結果から前記移動手段に移動信号を送る移動手段制御部とを具備したことを特徴とする。
【発明の効果】
【００３０】
本発明の請求項１によれば、次のような効果がある。
第１の移動手段により、吐出口を上下できるので、所望の水深に容易に効率良く酸素を供給出来る気体溶解水供給システムが得られる。
【００３１】
本発明の請求項２によれば、次のような効果がある。
吸込口を水中の所定位置に移動配置する第２の移動手段が設けられたので、吐出口と同一水域に配置出来ると共に、吐出口と別個に上下に移動出来るので、所要吸込水域に容易に配置出来、ごみを吸いやすい吸込口のメンテナンスに便利な気体溶解水供給システムが得られる。
【００３２】
本発明の請求項３によれば、次のような効果がある。
水中型溶解タンクを水中の所定位置に移動配置する第３の移動手段が設けられたので、本来、水中型溶解タンクは水深の深い位置に配置された方が、水圧により気体溶解効率が良いが、第３の移動手段が設けられたので、吐出口あるいは吸込口の移動配置に対して容易に対処移動出来、吐出口あるいは吸込口との連結パイプを短く出来る、また水中型溶解タンクのメンテナンス性が向上された気体溶解水供給システムが得られる。
【００３３】
本発明の請求項４によれば、次のような効果がある。
吸込管の途中に設けられたポンプを水中の所定位置あるいは水上に移動配置する第４の移動手段が設けられたので、ポンプのメンテナンスが容易となり、ポンプのメンテナンス性が向上出来、また、酸素ガスの供給圧力を低くする調整が容易な気体溶解水供給システムが得られる。
【００３４】
本発明の請求項５によれば、次のような効果がある。
移動手段は、フロートに配置されたウインチと、ウインチと移動対象物とを接続するケーブルとが使用されたので、フロートにより、装置全体の移動が容易な気体溶解水供給システムが得られる。
【００３５】
本発明の請求項６によれば、次のような効果がある。
浮子が水中型溶解タンクに設けられたので、水中型溶解タンクの相対重量が軽くなり、操作性が向上された気体溶解水供給システムが得られる。
【００３６】
本発明の請求項７によれば、次のような効果がある。
水底に設けられた固定手段と、この固定手段に設けられた滑車と、この滑車を介して移動対象物と所定位置に配置されたウインチとを接続するケーブルとが使用されたので、装置が水底の固定手段位置に確実に配置出来、装置の配置位置が容易に移動せず，配置位置の信頼性が向上された気体溶解水供給システムが得られる。
【００３７】
本発明の請求項８によれば、次のような効果がある。
水中に設けられ水中の水質データを測定する水質測定器と、この水質測定器の測定信号に基づき水質データを演算処理する演算処理部と、この演算処理部の演算結果から移動手段に移動信号を送る移動手段制御部とが設けられたので、より効率の良い気体溶解水供給システムが得られる。
【発明を実施するための最良の形態】
【００３８】
以下本発明を図面を用いて詳細に説明する。
図１は本発明の一実施例の要部構成説明図で、図２は図１の動作説明図である。
【００３９】
図において、第１の移動手段３１は、吐出口２２を水中の所定位置に移動配置する。
第２の移動手段３２は、吸込口２１を水中の所定位置に移動配置する。
第３の移動手段３３は、水中型溶解タンクを水中の所定位置に移動配置する
第４の移動手段３４は、吸込管３の途中に設けられたポンプ１を水中の所定位置あるいは水上に移動配置する。
この場合は、第４の移動手段３４は、ポンプ１を水中の所定位置に移動配置する。
【００４０】
移動手段３１，３２，３３，３４は、この場合は、フロートＢに配置されたウインチ３１１，３２１，３３１，３４１と、ウインチと移動対象物２２，２１，２，１とを接続するケーブル３１２，３２２，３３２，３４２とが使用されている。
また、浮子３５は，水中型溶解タンク２に設けられている。
なお、フロートＢは、繋留索Ｄにより固定されている。
【００４１】
以上の構成において、図１に示す如く、吸込口／吐出口、特に吐出口を貧酸素となっている水深に沿って上下させれば、図２に示す如く、上下させた水深に沿って酸素水が供給されることになる（図２の矢印Ｅの範囲で示す。）。
【００４２】
吸込口２１／吐出口２２が固定されている場合、前述したように酸素を供給できる水深幅は非常に狭いものになってしまう。
これを克服する為に、例えば、複数の吐出口２２を設けることも出来るが、水深幅が大きい場合は設置する吐出口２２の数が多くなり、且つ、ホースも非常に長いものが必要になり、経済的ではない。
【００４３】
また、吐出口２２を切り換える為の水中で動作する弁が必ず必要となるが、水中で安定して、メンテナンスなしで長期に使用できる弁は入手が困難である。
従って、吐出口２２を水中の所定位置に移動配置する第１の移動手段３１が設けられたので、第１の移動手段３１により、吐出口２２が上下できるので、所望の水深に容易に効率良く酸素を供給出来る気体溶解水供給システムが得られる。
【００４４】
吸込口２１を水中の所定位置に移動配置する第２の移動手段３２が設けられたので、吐出口２２と同一水域に容易に配置出来ると共に、吐出口２２と別個に上下に移動出来るので、所要吸込水域に容易に配置出来、また、ごみを吸いやすい吸込口２１のメンテナンスに便利な気体溶解水供給システムが得られる。
【００４５】
水中型溶解タンク２を水中の所定位置に移動配置する第３の移動手段３３が設けられたので、本来、水中型溶解タンク２は水深の深い位置に配置された方が、水圧により気体溶解効率が良いが、第３の移動手段３３が設けられたので、吐出口２２あるいは吸込口２１の移動配置に対して容易に対処移動出来、吐出口２２あるいは吸込口２１との連結パイプを短く出来る気体溶解水供給システムが得られる。
【００４６】
吸込管３の途中に設けられたポンプ１を水中の所定位置あるいは水上に移動配置する第４の移動手段３４が設けられたので、ポンプ１のメンテナンスが容易となり、ポンプ１のメンテナンス性が向上出来、また、酸素ガスの供給圧力を低くする調整が容易な気体溶解水供給システムが得られる。
【００４７】
移動手段３１，３２，３３，３４は、フロートＢに配置されたウインチ３１１，３２１，３３１，３４１と、ウインチと移動対象物２２，２１，２，１とを接続するケーブル３１２，３２２，３３２，３４２とが使用されたので、フロートＢにより、装置全体の移動が容易な気体溶解水供給システムが得られる。
浮子３５が水中型溶解タンク２に設けられたので、水中型溶解タンク２の相対重量が軽くなり、操作性が向上された気体溶解水供給システムが得られる。
【００４８】
図３は本発明の他の実施例の要部構成説明図である。
本実施例において、第１の移動手段４１は、吐出口２２を水中の所定位置に移動配置する。
第２の移動手段４２は、吸込口２１を水中の所定位置に移動配置する。
【００４９】
第３の移動手段４３は、水中型溶解タンクを水中の所定位置に移動配置する
第４の移動手段４４は、吸込管３の途中に設けられたポンプ１を水中の所定位置あるいは水上に移動配置する。
この場合は、第４の移動手段４４は、ポンプ１を水中の所定位置に移動配置する。
【００５０】
移動手段４１，４２，４３，４４は、この場合は、移動対象物２２，２１，２，１に設けられた浮子４１１，４２１，４３１，４４１と、水底Ｆに設けられた固定手段４１２，４２２，４３２，４４２と、この固定手段４１２，４２２，４３２，４４２に設けられた滑車４１３，４２３，４３３，４４３と、この滑車４１３，４２３，４３３，４４３を介して移動対象物２２，２１，２，１と所定位置に配置されたウインチ（図示せず。）とを接続するケーブル４１４，４２４，４３４，４４４とが使用されている。
【００５１】
この場合は、固定手段４１２，４２２，４３２，４４２は、シンカーが使用されている。
なお、フロートＢは、繋留索Ｄにより固定されている。
【００５２】
以上の構成において、図３に示す如く、吸込口２１／吐出口２２、特に吐出口２２を貧酸素となっている水深に沿って上下させれば、図２に示す如く、上下させた水深に沿って酸素水が供給されることになる（図２の矢印Ｅの範囲で示す。）。
【００５３】
吸込口２１／吐出口２２が固定されている場合、前述したように酸素を供給できる水深幅は非常に狭いものになってしまう。
これを克服する為に、例えば、複数の吐出口２２を設けることも出来るが、水深幅が大きい場合は設置する吐出口２２の数が多くなり、且つ、ホースも非常に長いものが必要になり、経済的ではない。
【００５４】
また、吐出口２２を切り換える為の水中で動作する弁が必ず必要となるが、水中で安定して、メンテナンスなしで長期に使用できる弁は入手が困難である。
従って、吐出口２２を水中の所定位置に移動配置する第１の移動手段４１が設けられたので、第１１の移動手段４１により、吐出口２２が上下できるので、所望の水深に容易に効率良く酸素を供給出来る気体溶解水供給システムが得られる。
【００５５】
吸込口２１を水中の所定位置に移動配置する第２の移動手段４２が設けられたので、吐出口２２と同一水域に容易に配置出来ると共に、吐出口２２と別個に上下に移動出来るので、所要吸込水域に容易に配置出来、また、ごみを吸いやすい吸込口２１のメンテナンスに便利な気体溶解水供給システムが得られる。
【００５６】
水中型溶解タンク２を水中の所定位置に移動配置する第３の移動手段４３が設けられたので、本来、水中型溶解タンク２は水深の深い位置に配置された方が、水圧により気体溶解効率が良いが、第３の移動手段４３が設けられたので、吐出口２２あるいは吸込口２１の移動配置に対して容易に対処移動出来、吐出口２２あるいは吸込口２１との連結パイプを短く出来る気体溶解水供給システムが得られる。
【００５７】
吸込管３の途中に設けられたポンプ１を水中の所定位置あるいは水上に移動配置する第４の移動手段４４が設けられたので、ポンプ１のメンテナンスが容易となり、ポンプ１のメンテナンス性が向上出来、また、酸素ガスの供給圧力を低くする調整が容易な気体溶解水供給システムが得られる。
【００５８】
水底に設けられた固定手段４１２，４２２，４３２，４４２と、この固定手段４１２，４２２，４３２，４４２に設けられた滑車４１３，４２３，４３３，４４３と、この滑車４１３，４２３，４３３，４４３を介して移動対象物２２，２１，２，１と所定位置に配置されたウインチとを接続するケーブル４１４，４２４，４３４，４４４とが使用されたので、装置が水底の固定手段位置に確実に配置出来、装置の配置位置が容易に移動せず，配置位置の信頼性が向上された気体溶解水供給システムが得られる。
【００５９】
図４は本発明の他の実施例の要部構成説明図である。
本実施例においては、説明を分かり易くするために、溶解タンク２、吐出口２２、吸込口２１、ポンプ１の構成は省略している。
図において、水質測定器５３は水中に設けられ水中の水質データ、「溶存酸素濃度」「水温」「濁度」「導電率」等のデータを測定する。
この場合は、ウインチ５１によりフロートＢにケーブル５２により吊り下げられている。
【００６０】
図５に示す如く、この水質測定器５３の測定信号に基づき水質データを演算処理する演算処理部５４と、この演算処理部５４の演算結果から移動手段３１，３２，３３，３４，４１，４２，４３，４４に移動信号を送る移動手段制御部５５とが設けられている。
【００６１】
要するに、水質測定器５３による水質データを基に、吸込口２１／吐出口２２（気体溶解装置）の水深を変化させて、次の改善すべき水深域に酸素水を供給するが、溶存酸素濃度や供給時間等による制御が考えられる。
【００６２】
なお、水質測定器５３は、図６に示す如く、多数５３１，５３２，５３３設けられても良い。
また、図７に示す如く、ケーブル５２，浮子５６，滑車５７，シンカー５８により、水底Ｆに固定されても良い。
【００６３】
この結果、水中に設けられ水中の水質データを測定する水質測定器５３と、この水質測定器の測定信号に基づき水質データを演算処理する演算処理部５４と、この演算処理部５４の演算結果から移動手段３１，３２，３３，３４，４１，４２，４３，４４に移動信号を送る移動手段制御部５５とが設けられたので、より効率が良い気体溶解水供給システムが得られる。
【００６４】
図８は本発明の他の実施例の要部構成説明図である。
本実施例においては、第１の移動手段３１により、溶解タンク２６、吐出口２２、吸込口２１、ポンプ１が点線で囲むように一体的に移動するようにしたものである。
溶解タンク２６は図１３に示される形式の溶解タンクが使用されている。
【００６５】
なお、上記の如く、溶解タンク２，２６、吐出口２２、吸込口２１、ポンプ１は個々独立に移動してもよく、また、種種組み合わせて一体的に移動するようにしても良い。要するに、吐出口２２が移動手段により移動出来れば良い。
【００６６】
なお、溶解タンク２，１１では、設置水深の水圧を利用して空気や酸素を溶解すると共に、気液の分離も行っている。
空気や酸素の供給は、そのガス圧力を利用してポンプの後段及び／又は溶解タンクに行っている。気体供給には気体圧力を利用してもエジェクタを使用しても良い。
吸込口２１／吐出口２２、ポンプ１は溶解タンク２，２６と離れて設置しても良いし（その場合は、夫々を可撓性のホース等で接続する。）、溶解タンク２，２６と一体となっていても良い事は勿論である。
【００６７】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００６８】
【図１】本発明の一実施例の要部構成説明図である。
【図２】図１の動作説明図である。
【図３】本発明の他の実施例の要部構成説明図である。
【図４】本発明の他の実施例の要部構成説明図である。
【図５】図４の要部構成説明図である。
【図６】本発明の他の実施例の要部構成説明図である。
【図７】本発明の他の実施例の要部構成説明図である。
【図８】本発明の他の実施例の要部構成説明図である。
【図９】従来より一般に使用されている従来例の構成説明図である。
【図１０】図９の要部構成説明図である。
【図１１】図９の動作説明図である。
【図１２】図９の動作説明図である。
【図１３】従来より一般に使用されている他の従来例の構成説明図である。
【符号の説明】
【００６９】
１        ポンプ
２        溶解タンク
３        導入管
４        排出管
５        ノズル
６        邪魔板
７        弁
８        排気手段
９        エジェクタおよびラインミキサ
１１      気体注入手段
１２      調節弁
１３      調節弁
１４      調節弁
１５      調節弁
１６      調節弁
１７      調節弁
１８      エジェクタ
２１      吸込口
２２      吐出口
２６      溶解タンク
２７      底面
３１      第１の移動手段
３２      第２の移動手段
３３      第３の移動手段
３４      第４の移動手段
３１１    ウインチ
３２１    ウインチ
３３１    ウインチ
３４１    ウインチ
３１２    ケーブル
３２２    ケーブル
３３２    ケーブル
３４２    ケーブル
３５      浮子
４１      第１の移動手段
４２      第２の移動手段
４３      第３の移動手段
４４      第４の移動手段
４１１    浮子
４２１    浮子
４３１    浮子
４４１    浮子
４１２    固定手段
４２２    固定手段
４３２    固定手段
４４２    固定手段
４１３    滑車
４２３    滑車
４３３    滑車
４４３    滑車
４１４    ケーブル
４２４    ケーブル
４３４    ケーブル
４４４    ケーブル
５１      ウインチ
５２      ケーブル
５３      水質測定器
５３１    水質測定器
５３２    水質測定器
５３３    水質測定器
５４      演算処理部
５５      移動手段制御部
５６      浮子
５７      滑車
５８      シンカー
Ａ        水面
Ｂ        フロート
Ｃ        温度躍層
Ｄ        繋留索
Ｅ        上下範囲
Ｆ        水底
α        供給気体
【図１】
2006142257.tif 000003
【図２】
2006142257.tif 000004
【図３】
2006142257.tif 000005
【図４】
2006142257.tif 000006
【図５】
2006142257.tif 000007
【図６】
2006142257.tif 000008
【図７】
2006142257.tif 000009
【図８】
2006142257.tif 000010
【図９】
2006142257.tif 000011
【図１０】
2006142257.tif 000012
【図１１】
2006142257.tif 000013
【図１２】
2006142257.tif 000014
【図１３】
2006142257.tif 000015